(57)【特許請求の範囲】
【請求項１】
ＲＴＰ(Real-time Transport Protocol)に基づくメディアストリームを送信するメディア配信サーバと、該メディア配信サーバからネットワークを介して、メディアストリームを受信する複数の移動端末とを有するシステムであって、
前記システムは、
前記ネットワークに接続され、且つ、前記移動端末から前記メディアストリームにおける品質イベントをＲＴＣＰ(RTP Control Protocol)を用いて問い合わせることによって収集する通信状況管理サーバと、
前記ネットワークに接続され、且つ、前記移動端末のハンドオーバを監視し、移動通信サービス事業者によって運用されるハンドオーバ管理装置と
を更に有し、
前記移動端末は、受信している前記メディアストリームのジッタ標準偏差値を含む品質イベントを生成する品質イベント生成手段と、前記通信状況管理サーバからの問い合わせに対して前記品質イベントを前記ＲＴＣＰを用いて送信する送信手段とを有し、
前記ハンドオーバ管理装置は、前記移動端末が第１のネットワークから第２のネットワークへの移行を表すハンドオーバイベントを生成するハンドオーバイベント生成手段と、前記ＲＴＣＰを用いて前記ハンドオーバイベントを前記通信状況管理サーバへ送信する送信手段とを有し、
前記通信状況管理サーバは、メディア配信サーバ毎に、複数の移動端末における品質イベント及びハンドオーバイベントを蓄積しており、前記品質イベント及び前記ハンドオーバイベント（移行元のネットワークから移行先のネットワークへの組み合わせ）に応じてストリーム制御イベント（パケットロス補償強度、補償アルゴリズム、及び／又は、同一コンテンツに対する同時接続ストリーム数）を生成するストリーム制御イベント生成手段と、該ストリーム制御イベントを前記メディア配信サーバへ送信する送信手段とを有し、
前記メディア配信サーバは、前記ストリーム制御イベントに基づいて、前記メディアストリームの配信を制御するストリーム配信制御手段を有する
ことを特徴とするシステム。
【発明の詳細な説明】
【技術分野】
【０００１】
本発明は、移動端末へメディアストリームを配信するシステムに関する。
【背景技術】
【０００２】
ユーザによって所持される端末が、メディア配信サーバからメディアストリームを受信しつつ再生する通信サービスがある。メディアストリームとは、リアルタイムに連続的に配信される音声又は映像のコンテンツデータである。従来、メディアストリームを受信しつつ再生するには、その端末に、高性能なプロセッサ及び大容量のメモリを搭載する必要があった。従って、端末は、有線ブロードバンドのネットワークに接続された固定端末に限られる場合が多かった。
【０００３】
これに対し、近年、移動端末であっても、プロセッサの高性能化及びメモリの大容量化、更には無線リンクのブロードバンド化が実現してきている。そのために、移動端末で、メディアストリームを受信しつつ再生することができる環境が提供されてきている。
【０００４】
【特許文献１】特開２００８−００５３９４号公報
【発明の開示】
【発明が解決しようとする課題】
【０００５】
有線ブロードバンドのネットワークに接続された固定端末が、メディア配信サーバからメディアストリームを受信する場合、そのパケットの通信品質（例えばジッタ）は、ほぼ一定したものである。これに対し、無線リンクのネットワークに接続された移動端末が、メディア配信サーバからメディアストリームを受信する場合、そのパケットの通信品質は、変動する場合が多い。特に、移動端末が、移動によってアクセスネットワークを切り替えるようなハンドオーバを実行した場合、その通信品質は、大きく変動する。このように通信品質が大きく変動した後であっても、メディア配信サーバは、メディアストリームの配信制御を何ら変更することはない。即ち、ハンドオーバ前のメディアストリームの配信制御と、ハンドオーバ後のメディアストリームの配信制御とは、同じである。
【０００６】
広帯域ネットワークから狭帯域ネットワークへハンドオーバした場合、メディアストリームはオーバフローしてしまう。逆に、狭帯域ネットワークから広帯域ネットワークへハンドオーバした場合、メディアストリームはバッファエンプティを生じることとなる。これらの状況は、通信品質の劣化につながる。尚、同一出願人によって出願された発明として、ハンドオーバ時における受信端末のバッファエンプティを回避する技術もある（例えば特許文献１参照）。
【０００７】
従って、本発明は、移動端末がハンドオーバする場合であっても、メディアストリームのパケットの通信品質に基づいて、適切なメディアストリームの配信制御をすることができるシステムを提供することを目的とする。
【課題を解決するための手段】
【０００９】
本発明によれば、ＲＴＰ(Real-time Transport Protocol)に基づくメディアストリームを送信するメディア配信サーバと、該メディア配信サーバからネットワークを介して、メディアストリームを受信する移動端末とを有するシステムであって、
システムは、
ネットワークに接続され、且つ、移動端末からメディアストリームにおける品質イベントをＲＴＣＰ(RTP Control Protocol)を用いて問い合わせることによって収集する通信状況管理サーバと、
ネットワークに接続され、且つ、移動端末のハンドオーバを監視し、移動通信サービス事業者によって運用されるハンドオーバ管理装置と
を更に有し、
移動端末は、受信しているメディアストリームのジッタ標準偏差値を含む品質イベントを生成する品質イベント生成手段と、通信状況管理サーバからの問い合わせに対して品質イベントをＲＴＣＰを用いて送信する送信手段とを有し、
ハンドオーバ管理装置は、移動端末が第１のネットワークから第２のネットワークへの移行を表すハンドオーバイベントを生成するハンドオーバイベント生成手段と、ＲＴＣＰを用いてハンドオーバイベントを通信状況管理サーバへ送信する送信手段とを有し、
通信状況管理サーバは、メディア配信サーバ毎に、複数の移動端末における品質イベント及びハンドオーバイベントを蓄積しており、品質イベント及びハンドオーバイベント（移行元のネットワークから移行先のネットワークへの組み合わせ）に応じてストリーム制御イベント（パケットロス補償強度、補償アルゴリズム、及び／又は、同一コンテンツに対する同時接続ストリーム数）を生成するストリーム制御イベント生成手段と、該ストリーム制御イベントをメディア配信サーバへ送信する送信手段とを有し、
メディア配信サーバは、ストリーム制御イベントに基づいて、メディアストリームの配信を制御するストリーム配信制御手段を有する
ことを特徴とする。
【発明の効果】
【００１９】
本発明のシステムによれば、移動端末がハンドオーバする場合であっても、メディアストリームのパケットの通信品質に基づいて、適切なメディアストリームの配信制御をすることができる。これにより、移動端末に対するメディアストリームの配信におけるサービス品質の向上を図ることができる。
【発明を実施するための最良の形態】
【００２０】
以下では、図面を用いて、本発明を実施するための最良の形態について詳細に説明する。
【００２１】
図１は、本発明における第１のシステム構成図である。
【００２２】
図１のシステムは、ＲＴＰを用いたメディアストリームを受信する移動端末１と、移動端末１へネットワークを介してメディアストリームを配信するメディア配信サーバ２と、そのネットワークに接続される通信状況管理サーバ３とを有する。移動端末１は、アクセスネットワーク６を介してＩＰ(Internet Protocol)ネットワーク５に接続する。アクセスネットワークとしては、例えば携帯電話網、ＷｉＭＡＸ網、有線ブロードバンド網等がある。移動端末１の通信インタフェースは、アクセスネットワーク間でハンドオーバする機能を有する。
【００２３】
図１によれば、移動端末１は、メディアストリームの通信品質を表す「品質イベント」を生成する。品質イベントとしては、例えばジッタ標準偏差値である。また、移動端末１は、ハンドオーバが検出された際に、ネットワークの移行を表す「ハンドオーバイベント」を生成する。ハンドオーバイベントとしては、例えば第１の網から第２の網への移動イベントである。これら品質イベント及びハンドオーバイベントは、通信状況管理サーバ３へ送信される。尚、イベントとは、「事象」を意味するが、単に「情報」を意味するものとしてもよい。
【００２４】
通信状況管理サーバ３は、品質イベント及びハンドオーバイベントに基づくストリーム制御イベントを生成する。生成したストリーム制御イベントは、メディア配信サーバ２へ送信される。ストリーム制御イベントとしては、例えば（１）ＲＴＰパケット送信間隔、（２）パケットロス補償部におけるパケットロス補償強度及び／又は補償アルゴリズム、（３）符号化部における転送レート、（４）トランスポートパケット送受信部におけるＵＤＰ又はＴＣＰパケットに積載されるメディアフレーム数、（５）同一コンテンツに対する同時接続ストリーム数、（６）符号化部におけるＧＯＰ(Group of Picture)サイズのいずれか１つ又はこれらの組合せである。
【００２５】
メディア配信サーバ２は、通信状況管理サーバ３から受信したストリーム制御イベントに基づいて、端末１に対するメディアストリームの配信を制御する。
【００２６】
図２は、図１のシステムにハンドオーバ管理装置を更に備えたシステム構成図である。
【００２７】
ハンドオーバ管理装置４は、移動通信サービス事業者によって運用される通信設備の一部である。図２のシステムによれば、移動端末１は、品質イベントのみを、通信状況管理サーバ３へ送信する。これに対し、ハンドオーバ管理装置４が、当該移動端末１のハンドオーバが検出された際に、ネットワークの移行を表すハンドオーバイベントを生成し、そのハンドオーバイベントを、通信状況管理サーバ３へ送信する。
【００２８】
図３は、本発明における第２のシステム構成図である。
【００２９】
図３のシステムは、ＲＴＰを用いたメディアストリームを受信する移動端末１と、移動端末１へネットワークを介してメディアストリームを配信するメディア配信サーバ２とのみを有する。図３のシステムは、図１のシステムと比較して、通信状況管理サーバ３を備えていない。メディア配信サーバ２が、図１の通信状況管理サーバ３の機能を含む。移動端末１は、品質イベント及びハンドオーバイベントを、メディア配信サーバ２へ送信する。
【００３０】
メディア配信サーバ２は、品質イベント及びハンドオーバイベントに基づくストリーム制御イベントを生成し、そのストリーム制御イベントに基づいてメディアストリームの配信を制御する。
【００３１】
図４は、図３のシステムにハンドオーバ管理装置を更に備えたシステム構成図である。
【００３２】
図４のシステムによれば、移動端末１は、品質イベントのみを、メディア配信サーバ２へ送信する。これに対し、ハンドオーバ管理装置４が、当該移動端末１のハンドオーバが検出された際に、ネットワークの移行を表すハンドオーバイベントを生成し、そのハンドオーバイベントを、メディア配信サーバ２へ送信する。
【００３３】
図５は、本発明における移動端末の機能構成図である。
【００３４】
図５によれば、移動端末１は、パケット送受信部１０１と、ＲＴＰ／ＲＴＣＰ処理部１０２と、メディアストリーム再生部１０３と、メディア出力インタフェース部１０４と、品質情報計測部１０５と、品質情報管理部１０６と、サービス制御処理部１０７と、品質イベント生成部１０８と、ハンドオーバイベント生成部１０９とを有する。これら機能構成部（網接続インタフェース部及びメディア出力インタフェース部を除く）は、移動端末に搭載されたコンピュータを機能させるプログラムを実行することによって実現できる。
【００３５】
図５によれば、パケット送受信部１０１は、トランスポートレイヤ以下の通信プロトコルを処理する。具体的には、トランスポートプロトコル処理部（ＵＤＰ／ＴＣＰ）と、ＩＰ処理部と、網接続インタフェース部とを含む。網接続インタフェース部は、無線又は有線によってアクセスネットワーク６に接続する物理レイヤ部である。ＩＰ処理部は、ＩＰパケットを送受信する。トランスポートプロトコル処理部は、ＵＤＰ／ＴＣＰパケットを送受信する。メディア配信サーバ２から受信するメディアストリームは、ＵＤＰパケットであり、通信状況管理サーバ３（又はメディア配信サーバ２）へ送信する品質イベント及びハンドオーバイベントは、ＴＣＰパケットである。
【００３６】
ＲＴＰ／ＲＴＣＰ処理部１０２は、パケット送受信部１０１を介して、メディア配信サーバ２からメディアストリームを受信する。メディア配信サーバ２から受信するメディアストリームは、ＲＴＰパケットであり、通信状況管理サーバ３（又はメディア配信サーバ２）へ送信する品質イベント及びハンドオーバイベントは、ＲＴＣＰパケットである。ＲＴＰ／ＲＴＣＰ処理部１０２は、ＲＴＰによって受信したメディアストリームを、メディアストリーム再生部１０３へ出力する。尚、ＲＴＰ／ＲＴＣＰ処理部１０２の内部では、ＲＴＣＰパケットは、受信されるＲＴＰパケットとの同期が確認される。
【００３７】
メディアストリーム再生部１０３は、サービス制御処理部１０７の指示に応じて、メディアストリームを、メディア出力インタフェース部１０４へ出力する。メディア出力インタフェース部１０４は、例えばディスプレイ及びスピーカである。これによって、メディアストリームを受信しつつ再生することができる。
【００３８】
品質情報計測部１０５は、ＲＴＰ／ＲＴＣＰ処理部におけるパケットの品質情報を計測する。品質情報は、例えばジッタである。測定された品質情報は、品質情報管理部１０６へ出力される。品質情報管理部１０６は、品質情報を蓄積する。サービス制御処理部１０７は、品質情報管理部１０６に蓄積された品質情報を参照し、メディアストリーム再生部１０３へ再生制御を指示する。例えば、メディアの復号処理、パケットロス補償処理、再生速度制御処理などである。また、サービス制御処理部１０７は、メディア出力インタフェース部１０４へ、再生音量の調整、表示画面数の調整も制御する。
【００３９】
品質イベント生成部１０８は、受信されたメディアストリームの通信品質を表す品質イベントを生成する。ここで、生成された品質イベントは、前述した図１及び図２によれば、通信状況管理サーバ３へ送信され、前述した図３及び図４によれば、メディア配信サーバ２へ送信される。通信状況管理サーバ３へ送信する場合、生成された品質イベントは、パケット送受信部１０１へ（ＲＴＣＰパケットで送信する場合はＲＴＰ／ＲＴＣＰ処理部１０２へ）出力される。パケット送受信部１０１は、その品質イベントを、通信状況管理サーバ３へ送信する。一方で、メディア配信サーバ２へ送信する場合、生成された品質イベントは、ＲＴＰ／ＲＴＣＰ処理部１０２へ出力される。ＲＴＰ／ＲＴＣＰ処理部１０２は、品質イベントをＲＴＣＰパケットに構成し、パケット送受信部１０１を通して、メディア配信サーバ２へ送信する。
【００４０】
ハンドオーバイベント生成部１０９は、パケット送受信部１０１（特に網接続インタフェース部）がハンドオーバを検出した際に、ネットワークの移行を表すハンドオーバイベントを生成する。ここで、生成されたハンドオーバイベントも、前述した図１及び図２によれば、通信状況管理サーバ３へ送信され、前述した図３及び図４によれば、メディア配信サーバ２へ送信される。通信状況管理サーバ３へ送信する場合、生成されたハンドオーバイベントは、パケット送受信部１０１へ（ＲＴＣＰパケットで送信する場合はＲＴＰ／ＲＴＣＰ処理部１０２へ）出力される。パケット送受信部１０１は、そのハンドオーバイベントを、通信状況管理サーバ３へ送信する。一方で、メディア配信サーバ２へ送信する場合、生成されたハンドオーバイベントは、ＲＴＰ／ＲＴＣＰ処理部１０２へ出力される。ＲＴＰ／ＲＴＣＰ処理部１０２は、ハンドオーバイベントをＲＴＣＰパケットに構成し、パケット送受信部１０１を通して、メディア配信サーバ２へ送信する。
【００４１】
図６は、本発明における通信状況管理サーバ及びメディア配信サーバの機能構成図である。
【００４２】
図６によれば、通信状況管理サーバ３は、パケット送受信部３０１と、ＲＴＣＰ処理部３０２と、品質イベント処理部３０３と、ハンドオーバイベント処理部３０４と、情報管理部３０５と、品質イベント収集スケジュール管理部３０６と、ストリーム制御イベント生成部３０７とを有する。これら機能構成部（網接続インタフェース部を除く）は、サーバに搭載されたコンピュータを機能させるプログラムを実行することによって実現できる。
【００４３】
ＲＴＣＰ処理部３０２は、ＲＴＣＰパケットに構成された品質イベント及びハンドオーバイベントを受信する場合に必要とされる（破線）。ＲＴＣＰ処理部３０２は、移動端末１から受信した品質イベントを、品質イベント処理部３０３へ出力し、移動端末１又はハンドオーバ管理装置４から受信したハンドオーバイベントを、ハンドオーバイベント処理部３０４へ出力する。尚、ＲＴＣＰパケットに構成されていない品質イベント及びハンドオーバイベントを受信する場合には、ＲＴＣＰ処理部３０２は必要とされない。
【００４４】
品質イベント処理部３０３は、品質イベントに対するメディア配信サーバを対応付けて（ＩＰアドレス、ポート番号、サービス識別子に対応付けて）、情報管理部３０５へ出力する。ハンドオーバイベント処理部３０４は、ハンドオーバイベントに対するメディア配信サーバを対応付けて、情報管理部３０５へ出力する。情報管理部３０５は、メディア配信サーバ毎に、品質イベント及びハンドオーバイベントを対応付けて蓄積する。
【００４５】
品質イベント収集スケジュール管理部３０６は、所定周期で、移動端末１へ品質イベントを問い合わせるように動作する。これによって、所定周期で、移動端末１から品質イベントを受信することができる。
【００４６】
ストリーム制御イベント生成部３０７は、情報管理部３０５に蓄積された情報を参照して、ストリーム制御イベントを生成する。生成されたストリーム制御イベントは、ＲＴＣＰ処理部３０２へ出力され、パケット送受信部３０１を通して、メディア配信サーバ２へ送信される。
【００４７】
図３によれば、メディア配信サーバ２は、パケット送受信部２０１と、ＲＴＰ／ＲＴＣＰ処理部２０２と、メディアコンテンツ蓄積部２０３と、符号化部２０４と、パケットロス補償制御部２０５と、ストリーム配信制御部２０６とを有する。これら機能構成部（網接続インタフェース部を除く）は、サーバに搭載されたコンピュータを機能させるプログラムを実行することによって実現できる。
【００４８】
メディアコンテンツ蓄積部２０３は、移動端末へ配信すべきメディアストリームのコンテンツを蓄積する。メディアコンテンツは、符号化部２０４へ出力される。
【００４９】
符号化部２０４は、ストリーム配信制御部２０６からの指示に応じて、符号化レート又は符号化アルゴリズムを変更する。符号化部２０４は、メディアコンテンツを符号化し、そのメディアストリームをパケットロス補償制御部２０５へ出力する。
【００５０】
パケットロス補償制御部２０５は、ストリーム配信制御部２０６からの指示に応じて、パケットロス補償の強度（補償対象とする同時ロスパケット数）、又は、ロス補償アルゴリズムを変更する。ここで、「ロス補償アルゴリズム」とは、受信側端末においてロスを検出し補完するために必要なメディア情報以外の情報を付与し、ロス区間を補完する送信側と受信側の機能を活用した処理のアルゴリズムを意味する。パケットロス補償がなされたメディアストリームは、ＲＴＰ／ＲＴＣＰ処理部２０２へ出力される。
【００５１】
ＲＴＰ／ＲＴＣＰ処理部２０２は、ストリーム配信制御部２０６の指示に応じて、ＲＴＰヘッダ構成及びパケット送信間隔を変更する。ＲＴＰ／ＲＴＣＰ処理部２０２は、ＲＴＰパケットに構成したメディアストリームを、パケット送受信部２０１を通して、移動端末１へ送信する。
【００５２】
メディア配信サーバ２は、通信状況管理サーバ３から受信した、ＲＴＣＰパケットに含まれる又はＲＴＣＰパケット以外の構成によるパケットに含まれる、ストリーム制御イベントを受信する。ストリーム配信制御部２０６は、そのストリーム制御イベントを、ＲＴＰ／ＲＴＣＰ処理部２０２から受信する。尚、ＲＴＣＰパケット以外の構成によるパケットに含まれるストリーム制御イベントをストリーム配信制御部２０６が受信する場合は、ＲＴＰ／ＲＴＣＰ処理部２０２からではなく、パケット送受信部２０１のトランスポートプロトコル処理部から直接受信する。ストリーム配信制御部２０６は、そのストリーム制御イベントによって、符号化部２０４と、パケットロス補償制御部２０５と、ＲＴＰ／ＲＴＣＰ処理部２０２と、パケット送受信部２０１とを制御する。
【００５３】
尚、メディア配信サーバ２が、通信状況管理サーバ３の機能を、イベント生成部として備えることも好ましい。この場合、別途、通信状況管理サーバ３を備える必要がない。これは、図３及び図４の実施形態に基づくものである。
【００５４】
ここで、具体的に、品質イベント及びハンドオーバイベントに基づいて、ストリーム制御イベントが生成される例について説明する。
【００５５】
［１］ハンドオーバイベントに基づいて、メディアストリームにおけるＲＴＰパケットの送信間隔を制御するストリーム制御イベントが生成される。高い伝送速度の網から低い伝送速度の網へ移行する場合、送信間隔を大きくするように制御する。逆に、低い伝送速度の網から高い伝送速度のへ移行する場合、送信間隔を小さくするように制御する。これによって、メディア配信サーバ２のＲＴＰ／ＲＴＣＰ処理部２０２が制御される。
【００５６】
以下の表１は、ＲＴＰ／ＲＴＣＰ処理部におけるＲＴＰパケットの送信間隔を変更する例である。勿論、２つ以上の設定値が同値であってもよい。
【表１】
0005122327.tif 000002
【００５７】
［２］品質イベント及びハンドオーバイベントに基づいて、パケットロス補償強度及び／又は補償アルゴリズムを制御するストリーム制御イベントが生成される。高い伝送速度の網から低い伝送速度の網への移行する場合、ロス強度を大きく、又は、ロス耐性の高いアルゴリズムを選択するように制御する。逆に、低い伝送速度の網から高い伝送速度の網へ移行する場合、ロス強度を小さく、又は、ロス耐性の低いアルゴリズムを選択するように制御する。これによって、メディア配信サーバ２のパケットロス補償制御部２０５が制御される。
【００５８】
以下の表２は、パケットロス補償制御部２０５におけるロス補償強度及びアルゴリズムを変更する例である。勿論、２つ以上の設定値が同値であってもよい。
【表２】
0005122327.tif 000003
【００５９】
［３］品質イベント及びハンドオーバイベントに基づいて、符号化部における転送レートを制御するストリーム制御イベントが生成される。高い伝送速度の網から低い伝送速度の網へ移行し、且つ、ジッタ標準偏差情報が大きい場合、転送レートを小さく、又は、転送レートがより小さい符号化アルゴリズムを選択するように制御する。逆に、低い伝送速度の網から高い伝送速度の網へ移行し、且つ、ジッタ標準偏差情報が小さい場合、転送レートを大きく、又は、転送レートがより大きい符号化アルゴリズムを選択するように制御する。これによって、メディア配信サーバ２の符号化部２０４が制御される。
【００６０】
以下の表３は、符号化部２０４における転送レート及びアルゴリズムを変更する例である。勿論、２つ以上の設定値が同値であってもよい。
【表３】
0005122327.tif 000004
【００６１】
［４］品質イベント及びハンドオーバイベントに基づいて、パケット送受信部のトランスポートプロトコル処理部におけるＵＤＰ又はＴＣＰパケットに積載されるメディアフレーム数を制御するストリーム制御イベントが生成される。高い伝送速度の網から低い伝送速度の網への移行し、且つ、ジッタ標準偏差情報が大きい場合、積載されるメディアフレーム数を大きくするように制御する。逆に、低い伝送速度の網から高い伝送速度の網へ移行し、且つ、ジッタ標準偏差情報が小さい場合、積載されるメディアフレーム数を大きくするように制御する。これによって、メディア配信サーバ２のパケット送受信部２０１が制御される。
【００６２】
以下の表４は、パケット送受信部２０１におけるフレーム数を変更する例である。勿論、２つ以上の設定値が同値であってもよい。
【表４】
0005122327.tif 000005
【００６３】
［５］品質イベント及びハンドオーバイベントに基づいて、同一コンテンツに対する同時接続ストリーム数を制御するストリーム制御イベントが生成される。高い伝送速度の網から低い伝送速度の網へ移行し、且つ、ジッタ標準偏差情報が大きい場合、ストリーム数を少なくするように制御する。逆に、低い伝送速度の網から高い伝送速度の網へ移行し、且つ、ジッタ標準偏差情報が小さい場合、ストリーム数を多くするように制御する。これによって、メディア配信サーバ２のパケット送受信部２０１が制御される。
【００６４】
以下の表５は、パケット送受信部２０１におけるストリーム数を変更する例である。勿論、２つ以上の設定値が同値であってもよい。
【表５】
0005122327.tif 000006
【００６５】
［６］品質イベント及びハンドオーバイベントに基づいて、符号化部におけるＧＯＰ(Group of Picture)サイズを制御するストリーム制御イベントが生成される。高い伝送速度の網から低い伝送速度の網へ移行し、且つ、ジッタ標準偏差情報が大きい場合、ＧＯＰサイズを小さく／大きくするように制御する。逆に、低い伝送速度の網から高い伝送速度の網へ移行し、且つ、ジッタ標準偏差情報が小さい場合、ＧＯＰサイズを大きく／小さくするように制御する。これによって、メディア配信サーバ２の符号化部２０４が制御される。
【００６６】
以下の表６は、符号化部２０４におけるＧＯＰサイズを変更する例である。勿論、２つ以上の設定値が同値であってもよい。
【表６】
0005122327.tif 000007
【００６７】
以上、詳細に説明したように、本発明のシステムによれば、移動端末がハンドオーバする場合であっても、メディアストリームのパケットの通信品質に基づいて、適切なメディアストリームの配信制御をすることができる。これにより、移動端末に対するメディアストリームの配信におけるサービス品質の向上を図ることができる。
【００６８】
また、本発明によれば、異なるアクセスネットワーク間でのハンドオーバであっても、メディアストリームの途切れを無くすこと、又は小さくするという効果がある。特に、移動端末がハンドオーバイベントを送信する場合、ハンドオーバ管理装置を備える必要がなく、通信状況管理サーバを設置するだけでよい。
【００６９】
前述した本発明の種々の実施形態において、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【図面の簡単な説明】
【００７０】
【図１】本発明における第１のシステム構成図である。
【図２】図１のシステムにハンドオーバ管理装置を更に備えたシステム構成図である。
【図３】本発明における第２のシステム構成図である。
【図４】図３のシステムにハンドオーバ管理装置を更に備えたシステム構成図である。
【図５】本発明における移動端末の機能構成図である。
【図６】本発明における通信状況管理サーバ及びメディア配信サーバの機能構成図である。
【符号の説明】
【００７１】
１  移動端末
１０１  パケット送受信部
１０２  ＲＴＰ／ＲＴＣＰ処理部
１０３  メディアストリーム再生部
１０４  メディア出力インタフェース部
１０５  品質情報計測部
１０６  品質情報管理部
１０７  サービス制御処理部
１０８  品質イベント生成部
１０９  ハンドオーバイベント生成部
２  メディア配信サーバ
２０１  パケット送受信部
２０２  ＲＴＰ／ＲＴＣＰ処理部
２０３  メディアコンテンツ蓄積部
２０４  符号化部
２０５  パケットロス補償制御部
２０６  ストリーム配信制御部
３  通信状況管理サーバ
３０１  パケット送受信部
３０２  ＲＴＣＰ処理部
３０３  品質イベント処理部
３０４  ハンドオーバイベント処理部
３０５  情報管理部
３０６  品質イベント収集スケジュール管理部
３０７  ストリーム制御イベント生成部
４  ハンドオーバ管理装置
５  ＩＰネットワーク
６  アクセスネットワーク
【図１】
0005122327.tif 000008
【図２】
0005122327.tif 000009
【図３】
0005122327.tif 000010
【図４】
0005122327.tif 000011
【図５】
0005122327.tif 000012
【図６】
0005122327.tif 000013